(57)【要約】【課題】色調や透光性を損なうことなく、虫が近寄りにくくした光フィルタ及び照明器具を提供する。【解決手段】各照明器具Ａ，Ｂ，Ｃは、ランプ１１，１１’，１１”の照射方向にそれぞれ配置された光フィルタ１、グローブ１３及び前面パネル１４を備える。光フィルタ１、グローブ１３及び前面パネル１４の材料には透光性合成樹脂に紫外線吸収剤や染料や顔料を添加したものが用いられ、波長が３００ｎｍから３９５ｎｍまでの光を１００％カットし、波長が４０５ｎｍの光の透過率が５０％以下となり、波長が４５０ｎｍ以上の光の平均透過率が５０％以上となるようにカット率及び透過率が調整されている。また、横軸に波長を、縦軸に透過率をとり、波長の１ｎｍの目盛りが透過率の１％の目盛りに等しくなるようにして透光性材料の透過率のグラフを作成した場合に、透過率の変化曲線の変曲点における接線と横軸とが交差する角度の正接を２以上としている。【選択図】図１
2007179063.tif 000002
【特許請求の範囲】
【請求項１】
照明器具に用いられ光源の光から虫を誘引しやすい波長の光を取り除く光フィルタであって、波長が３００ｎｍから３９５ｎｍまでの光を１００％カットし、波長が４０５ｎｍの光の透過率が５０％以下となり、波長が４５０ｎｍ以上の光の平均透過率が５０％以上となるようにカット率及び透過率が調整された透光性材料からなり、横軸に波長を、縦軸に透過率をとり、波長の１ｎｍの目盛りが透過率の１％の目盛りに等しくなるようにして前記透光性材料の透過率のグラフを作成した場合に、透過率の変化曲線の変曲点における接線と横軸とが交差する角度の正接が２以上であることを特徴とする光フィルタ。
【請求項２】
請求項１記載の光フィルタを光源の照射方向に配置したことを特徴とする照明器具。
【発明の詳細な説明】
【技術分野】
【０００１】
本発明は、光フィルタ及びそれを用いる照明器具に関するものである。
【背景技術】
【０００２】
従来より、特定の波長の光を光フィルタでカットすることによって虫が近寄り難くした照明器具が提供されている。
【０００３】
一般に、飛翔昆虫などの虫を誘引しやすい光の分光分布は紫外線にピークがあると言われているので、波長が約３８０ｎｍまでの光（紫外光）をカットした照明器具や、紫外領域から可視領域の短波長側（約４５０ｎｍ）までの波長の光をカットした照明器具や、さらに短波長側（約６００ｎｍ）までの波長の光をカットした照明器具が従来より提供されている（例えば特許文献１参照）。
【特許文献１】特開２００１−１６１２５３号公報（第３頁−第５頁、及び、第１図）
【発明の開示】
【発明が解決しようとする課題】
【０００４】
上述した照明器具の内、波長が約３８０ｎｍまでの光（紫外光）をカットした照明器具では、紫外光を低減することで虫は近寄りにくくなるが、可視領域の短波長側の光にも虫を誘引する効果があるため、誘虫性の低減効果としては不十分であった。
【０００５】
また、紫外領域から可視領域の短波長側（約４５０ｎｍ）までの波長の光をカットした照明器具では、紫外光をカットした照明器具に比べて虫が近寄りにくくなるものの、その光は明らかに黄色く見えるため、一般の照明に用いる場合は点灯時の照明器具の見掛けが悪くなるという問題があった。
【０００６】
また、より短波長側（約６００ｎｍ）の光をカットした照明器具では、さらに虫が近寄りにくくできるが、その光は赤色光となるため、その照明下で人が作業を行う場合には非常に不快に感じたり、作業能力が低下するという問題があった。
【０００７】
本発明は上記問題点に鑑みて為されたものであり、その目的とするところは、色調や透光性を損なうことなく、虫が近寄りにくくした光フィルタ及びそれを用いる照明器具を提供することにある。
【課題を解決するための手段】
【０００８】
上記目的を達成するために、請求項１の発明は、照明器具に用いられ光源の光から虫を誘引しやすい波長の光を取り除く光フィルタであって、波長が３００ｎｍから３９５ｎｍまでの光を略１００％カットし、波長が４０５ｎｍの光の透過率が５０％以下とし、波長が４５０ｎｍ以上の光の平均透過率が５０％以上となるようにカット率及び透過率が調整された透光性材料からなり、横軸に波長を、縦軸に透過率をとり、波長の１ｎｍの目盛りが透過率の１％の目盛りに等しくなるようにして前記透光性材料の透過率のグラフを作成した場合に、透過率の変化曲線の変曲点における接線と横軸とが交差する角度の正接が２以上であることを特徴とする。
【０００９】
請求項２の発明は照明器具であって、請求項１記載の光フィルタを光源の照射方向に配置したことを特徴とする。
【発明の効果】
【００１０】
請求項１の発明によれば、紫外領域の光を低減して虫を引き寄せにくくするととともに、波長が４０５ｎｍの光の透過率を５０％以下とし、４５０ｎｍ以上の光の透過率を５０％以上としているので、可視領域の短波長側まで光をカットする場合に比べて光が黄色味を帯びるのを低減できるという効果がある。さらに、透過率の変化曲線の立ち上がりを急峻にすることで、可視領域の短波長側の光でカットされる光を少なくして、光が黄色味を帯びるのを低減できるという効果もある。
【００１１】
請求項２の発明によれば、紫外領域の光を低減して虫を引き寄せにくくするととともに、光が黄色味を帯びるのを低減した照明器具を実現できる。
【発明を実施するための最良の形態】
【００１２】
本発明の実施の形態を図面に基づいて説明する。
【００１３】
（実施形態１）
図１は本実施形態の光フィルタ１を用いる照明器具Ａの外観図を示し、ポール１０の上端にランプ１１を収納する箱状のランプ収納部１２が設けられており、ランプ収納部１２の四方の側面に形成された窓孔に矩形板状の光フィルタ１が取り付けられている。
【００１４】
図２は光フィルタ１の断面図を示し、図３（ａ）に示すような分光スペクトルを有する透光性材料から板状に形成されている。この光フィルタ１は照明器具に用いられてランプ１１（光源）の光から虫を誘引しやすい波長の光を取り除くためのものであり、その材料には、アクリル（ＰＭＭＡ）樹脂、ポリカーボネイト（ＰＣ）樹脂、ポリスチレン（ＰＳ）樹脂、ポリエチレン（ＰＥ）樹脂、ポリエチレンテレフタレート（ＰＥＴ）樹脂、ＰＳ樹脂とＰＥ樹脂からなるＰＳ／ＰＥアロイ等の透光性合成樹脂の何れかに、紫外線吸収剤や染料や顔料を添加したものが用いられている。そして、紫外線吸収剤や染料や顔料を添加することで、波長が約３００ｎｍから約３９５ｎｍまでの光を略１００％カットし、波長が約４０５ｎｍの光の透過率が約５０％以下となり、波長が約４５０ｎｍ以上の光の平均透過率が約５０％以上となるようにカット率及び透過率が調整されている。
【００１５】
このように各波長の光のカット率及び透過率が調整された光フィルタ１をランプ１１の照射方向に配置しているので、ランプ１１の光から波長が約３００〜約３９５ｎｍの光を略１００％カットするとともに、波長が約４０５ｎｍの光の透過率を約５０％以下とすることで、紫外領域の光を低減して照明器具Ａの光に誘引される虫の数を抑制することができる。また、波長が約４０５ｎｍの光の透過率を約５０％以下とし、約４５０ｎｍ以上の光の平均透過率を約５０％以上としているので、可視領域の短波長側まで光をカットする場合のように、照射光が黄色味を帯びることはなく、照明器具Ａの見掛けを良くできる。なお、ランプ１１の光に誘引される虫がさらに低減するためには、波長が約４０５ｎｍの光の透過率を約１０％以下とすることが望ましい。
【００１６】
また、虫が誘引されるのを防止しつつ、色調の黄色味を減らすために、図３（ｂ）に示すように横軸に波長を、縦軸に透過率をとり、波長の１ｎｍの目盛りａが透過率の１％の目盛りｂに等しくなるようにして透光性材料の透過率のグラフを作成した場合に、透過率の変化曲線の変曲点における接線Ｌと横軸とが交差する角度θの正接が２以上としてある（ｔａｎθ≧２）。すなわち、変曲点における接線Ｌの傾きを大きくすることで、透過率の立ち上がりを大きくして、波長が約４５０ｎｍ以上の光の透過率を約５０％以上とすることができ、色調の黄色味を減らすことができる。なお、角度θの正接を３以上とすれば、透過率の立ち上がりをさらに大きくして、色調の黄色味をさらに低減することができる。
【００１７】
尚、本実施形態では光フィルタ１を用いる照明器具Ａとしてエクステリア用のものを例に説明したが、図１（ｂ）に示すようなシーリングタイプの照明器具Ｂでは、円環状の蛍光ランプよりなるランプ１１’を覆うドーム状のグローブ１３を、紫外線吸収剤や染料や顔料を添加した透光性合成樹脂で形成することで、各波長の光のカット率や透過率を調整し、このグローブ１３で光フィルタを構成すれば良い。また、図１（ｃ）に示すような天井面に埋込配設されるベースライトタイプの照明器具Ｃでは、直管形の蛍光ランプよりなるランプ１１”の前面（下面）を覆う前面パネル１４を、紫外線吸収剤や染料や顔料を添加した透光性合成樹脂で形成することで、各波長の光のカット率や透過率を調整し、この前面パネル１４で光フィルタを構成すれば良い。このようにシーリングタイプやベースライトタイプの照明器具Ｂ，Ｃにおいても、ランプ１１’，１１”の照射方向にグローブ１３又は前面パネル１４からなる光フィルタをそれぞれ配置することで、上述の照明器具Ａと同様、色調を損なうことなく、光に誘引される虫（飛翔昆虫など）の数を低減することができる。
【００１８】
また、本実施形態では光フィルタ１を、ＰＭＭＡ樹脂、ＰＣ樹脂、ＰＳ樹脂、ＰＥ樹脂、ＰＥＴ樹脂、ＰＳ樹脂とＰＥ樹脂からなるＰＳ／ＰＥアロイ等の透光性合成樹脂の何れかに紫外線吸収剤や染料や顔料を添加したものから形成しているが、ハロゲン化物などを添加することによって各波長におけるカット率及び透過率を上述のように調整した硼珪酸系或いはリン酸系などの透光性ガラスから形成しても良い。また、光フィルタ１の材料を上記のものに限定する趣旨のものではなく、上記のように各波長における光のカット率及び透過率が調整できるのであれば、どのような材料を用いても良い。また、光フィルタ１を、上記の材料からなる単層構造としても良いし、上記の材料からなる複数の層を積層した積層体としても良い。
【００１９】
（実施形態２）
本発明の実施形態２を図４に基づいて説明する。本実施形態では、実施形態１で説明した透光性材料からフィルタ層２を形成するとともに、フィルタ層２の少なくとも人から視認可能な側の表面に、フィルタ層２の材料よりもＹＩ値の小さい層３を積層することによって、光フィルタ１を形成している。ここに、ＹＩ値とはＪＩＳ  Ｋ７１０３に規定される黄色味の指数であり、Ｘ、Ｙ、Ｚを光源色の三刺激値とすると、ＹＩ値は以下の式で求められる。
【００２０】
ＹＩ＝１００×（１．２８Ｘ−１．０６Ｚ）／Ｙ
尚、光フィルタ１を用いる照明器具Ａ〜Ｃは実施形態１と同様であるので、その説明は省略する。
【００２１】
本実施形態ではフィルタ層２の少なくとも人から視認可能な表面に、フィルタ層２よりもＹＩ値の小さい層３を形成しているので、消灯時に照明器具を見たときに、光フィルタ１の黄色味を減少することができ、商品の見掛けを良くできる。光フィルタ１の黄色味を低減するには、ＹＩ値をできるだけ小さくすることが望ましく、ＹＩ値を３以下とするのが好ましい。また、層３の色が乳白色の場合には黄色味を低減するのに有効である。尚、フィルタ層２の表面にＹＩ値の小さい層３を積層する方法としては、フィルタ層２の形成時に層３を同時に形成しても良いし、フィルタ層２の形成後にフィルム状に形成された層３を貼り付けるようにしても良く、層３の積層方法は問わない。
【００２２】
（実施形態３）
本発明の実施形態３を図５に基づいて説明する。本実施形態では、実施形態１で説明した透光性材料からフィルタ層２を形成するとともに、フィルタ層２の少なくとも人から視認可能な側の表面に、フィルタ層２の材料よりも屈折率が高く且つ透光性を有する高屈折率層４を積層することによって、光フィルタ１を形成している。尚、光フィルタ１を用いる照明器具Ａ〜Ｃは実施形態１と同様であるので、その説明は省略する。
【００２３】
上述のように本実施形態ではフィルタ層２の少なくとも人から視認可能な表面に、フィルタ層２よりも屈折率の高い高屈折率層４を形成しており、消灯時に照明器具を見たときに、高屈折率層４が無い場合に比べて表面反射が大きくなるので、フィルタ層２及び高屈折率層４の材料自体の黄色味を識別できなくなり、商品の見掛けを良くできる。なおフィルタ層２が透明な場合は、フィルタ層２の材料自体に添加剤を添加することなく、色調を改善することは難しいが、高屈折率層４を形成することで、フィルタ層２及び高屈折率層４の材料自体の黄色味を識別できなくしているので、消灯時の照明器具の見掛けを良くできる。
【００２４】
（実施形態４）
本発明の実施形態４を図６に基づいて説明する。本実施形態では、実施形態１で説明した透光性材料からフィルタ層２を形成するとともに、フィルタ層２の表面に、点灯時のフィルタ層２の色と同色の層５を積層している。尚、光フィルタ１を用いる照明器具Ａ〜Ｃは実施形態１と同様であるので、その説明は省略する。
【００２５】
層５の材料としては、消灯時の色が乳白色で、点灯時に透明になるような材料であって、しかも色調が黄色味の少ない材料であることが必須であり、本実施形態では常温で乳白色であり、熱で溶融すると透明になる蝋を用いている。ここで、層５の材料に常温で乳白色の蝋を用いる場合、フィルタ層２の材料が透明であれば、光を透過させる必要があるフィルタ層２の部位はランプ点灯時に蝋の溶融温度以上になるように照明器具Ａを構成する必要がある。また、点灯時に蝋を溶融させることで、ランプの光が層５で遮られるのを防止して、照明器具の発光効率が低減するのを防止できる。なお、層５は適宜の手段によって封止されており、蝋が溶融した際に蝋が漏れるのを防止している。
【００２６】
このように、点灯時のフィルタ層２の色（白色）と同色の層５をフィルタ層２の表面に形成しているので、消灯時に光フィルタ１の色が黄色く見えるのを防止して、照明器具Ａの見掛けを良くすることができる。
【００２７】
尚、本実施形態では層５の材料として蝋を用いているが、層５を蝋に限定する趣旨のものではなく、フィルタ層２の表面に、点灯時のフィルタ層２の色と同色であって、通電されると透明になる液晶の層を形成しても良い。ここで、点灯時には液晶に通電して液晶の層を透明とすることでランプの光が遮られるのを防止して、発光効率が低減するのを防止することができ、消灯時には液晶への通電を停止して液晶の色を点灯時のフィルタ層２の色と同色にすることで、消灯時に光フィルタ１が黄色味を帯びて見えるのを防止して、照明器具の見掛けを良くできる。
【００２８】
（実施形態５）
本発明の実施形態５を図７に基づいて説明する。本実施形態ではフィルタ層２’の材料として、波長が４１０ｎｍ以下の光で励起され、青色領域に蛍光発色のピークを有するフォトルミネッセンス材料を添加した乳白色の材料又は拡散材料の何れかを用いている。尚、光フィルタ１を用いる照明器具Ａ〜Ｃは実施形態１と同様であるので、その説明は省略する。
【００２９】
ここで、光フィルタ１の色調を効率良く改善するためには（より白くするためには）、フィルタ層２’の材料に蛍光増白剤などを添加することが望ましく、また光フィルタ１の耐久性を重視するのであれば、蛍光体や蛍光ガラスの粉末などを添加することが望ましい。また、フォトルミネッセンス材料の発光効率をアップするためには、一般的に使用するランプの中でも短波長光をより多く含む光源を使用することが望ましい。
【実施例】
【００３０】
以下に、本発明の実施例と比較例について低誘虫性や色調を評価した結果を説明する。
【００３１】
（実施例１）
図８は実施例１の光フィルタ１を示し、光フィルタ１は１層のフィルタ層２ａからなり、フィルタ層２ａの材料として、紫外線吸収剤や染料や顔料を添加することで、波長が約３００ｎｍから約３９５ｎｍまでの光を略１００％カットするとともに、波長が約４０５ｎｍの光を略１００％カットし、波長が約４５０ｎｍ以上の光の平均透過率が約９０％以上となるようにカット率及び透過率が調整された透明なアクリルを用いており、ｔａｎθ＝３となっている。
【００３２】
（実施例２）
図９は実施例２の光フィルタ１の断面図であり、光フィルタ１は１層のフィルタ層２ｂからなり、フィルタ層２ｂの材料として、紫外線吸収剤や染料や顔料を添加することで、波長が約３００ｎｍから約３９５ｎｍまでの光を略１００％カットするとともに、波長が約４０５ｎｍの光を略１００％カットし、波長が約４５０ｎｍ以上の光の平均透過率が約５０％以上となるようにカット率及び透過率が調整された乳白色のアクリルを用いており、ｔａｎθ＝２．４となっている。
【００３３】
（実施例３）
図１０は実施例３の光フィルタ１の断面図であり、光フィルタ１は１層のフィルタ層２ｃからなり、フィルタ層２ｃの材料として、紫外線吸収剤や染料や顔料を添加することで、波長が約３００ｎｍから約３９５ｎｍまでの光を略１００％カットし、波長が約４０５ｎｍの光の透過率が約５０％以下となり、波長が約４５０ｎｍ以上の光の平均透過率が約９０％以上となるようにカット率及び透過率が調整された透明なポリカーボネートを用いており、ｔａｎθ＝３となっている。
【００３４】
（実施例４）
実施例４では、光フィルタ１の材料として、ハロゲン化物などを添加することによって、波長が約３００ｎｍから約３９５ｎｍまでの光を略１００％カットするとともに、波長が約４０５ｎｍの光の透過率が約５０％以下となるようにカット率及び透過率が調整された透明なガラスを用いており、ｔａｎθ＝３．５となっている。
【００３５】
（実施例５）
実施例５では、光フィルタ１の材料として、ハロゲン化物などを添加することによって、波長が約３００ｎｍから約３９５ｎｍまでの光を略１００％カットするとともに、波長が約４０５ｎｍの光を略１００％カットするようにカット率が調整された透明なガラスを用いており、ｔａｎθ＝３．５となっている。
【００３６】
（実施例６）
図１１は実施例６の光フィルタ１の断面図であり、実施例２と同一の材料で形成されたフィルタ層２ｂの表面に、フィルタ層２ｂよりもＹＩ値の低い乳白色のアクリルの層３を形成している。
【００３７】
（実施例７）
図１２は実施例７の光フィルタ１の断面図であり、実施例１と同一の材料で形成されたフィルタ層２ａの表面に、フィルタ層２ａよりも屈折率の高い、膜厚が０．１μｍのアルミナ（Ａｌ２Ｏ３）の薄膜からなる高屈折率層４を形成している。
【００３８】
（実施例８）
図１３は実施例８の光フィルタ１の断面図であり、実施例５と同一の材料（透明なガラス）で形成されたフィルタ層２ｄと、フィルタ層２ｄに対向配置される板状のソーダガラス６との間に点灯時のフィルタ層２ｄの色と同色の蝋５’を挟み、フィルタ層２ｄとソーダガラス６との間を結合するシール材７，７で蝋５’を封止している。蝋５’は、点灯時にはランプの発熱で溶融して透明になり、消灯時には固化して点灯時のフィルタ層２ｄと同じ色に変化する。
【００３９】
（実施例９）
図１４は実施例９の光フィルタ１の断面図であり、実施例５と同一の材料で形成されたフィルタ層２ｄの表面に、点灯時のフィルタ層２の色と同色の液晶５”を形成している。液晶５”の駆動部は照明器具に設けられており、点灯時には駆動部によって液晶５”に通電されて、液晶５”の色が透明に変化するとともに、消灯時には液晶５”への通電が停止されて、点灯時のフィルタ層２の色と同じ色に変化する。
【００４０】
（実施例１０）
図１５は実施例１０の光フィルタ１の断面図であり、光フィルタ１は１層のフィルタ層２ｅからなり、実施例２の光フィルタ１に用いた乳白色のアクリルに、例えばＵＶＩＴＥＸ（Ｒ）ＯＢ（商品名）のような蛍光増白材を添加した材料でフィルタ層２ｅを形成している。
【００４１】
（実施例１１）
図１６は実施例１１の光フィルタ１の断面図であり、光フィルタ１は１層のフィルタ層２ｆからなり、実施例２の光フィルタ１に用いた乳白色のアクリルに、ＺｎＳのような蛍光体の粉末を添加した材料でフィルタ層２ｆを形成している。
【００４２】
（参考例Ａ１）
図１７（ａ）は参考例Ａ１の光フィルタ１の断面図であり、波長が約３８０ｎｍまでの光を略１００％カットした透明なアクリルで形成されたフィルタ層２ｇの表面に、波長が約４５０ｎｍ付近のみの光をシャープカットし、４２０ｎｍ以上の可視光領域の光を通過させる光学多層膜８を形成してある。尚、図１７（ｂ）は光学多層膜８の分光スペクトルを示している。
【００４３】
（参考例Ａ２）
図１８（ａ）は参考例Ａ２の光フィルタ１の断面図であり、紫外領域の光をカットしない透明なアクリルで形成されたフィルタ層２ｇの表面に、波長が約４２０ｎｍ以上の可視光領域の光のみを通過させる光学多層膜８を形成してある。尚、図１８（ｂ）は光学多層膜８の分光スペクトルを示している。
【００４４】
（比較例１〜４）
比較例１は透明なアクリルで形成され、波長が５５５ｎｍの光の透過率が実施例１と同様である。比較例２は乳白色のアクリルで形成され、波長が５５５ｎｍの光の透過率が実施例２と同様である。比較例３は透明なポリカーボネートで形成され、波長が５５５ｎｍの光の透過率が実施例３と同様である。比較例４は一般的な透明なソーダガラスからなる。
【００４５】
図１９（ａ）は実験に用いた照明器具Ａを示し、ポール１０の上端に松下電器産業製の１３Ｗ型コンパクト型蛍光ランプのようなランプ１１を収納する箱状のランプ収納部１２が設けられており、ランプ収納部１２の四方の側面に形成された窓孔に実施例１〜１１、参考例Ａ１，Ａ２及び比較例１〜４の光フィルタ１をそれぞれ取り付けて誘虫性を評価する実験を行った。実験では１０ｍ四方の部屋の中に図１９（ａ）の照明器具Ａを設置してランプ１１を点灯させるとともに、３種類の虫（ハエ、コナガ、ガ）を各々２００匹ずつ離して、１時間後に光フィルタ１の下側に取り付けられた粘着シート９に捕獲された虫の数で評価する。尚、粘着シート９の大きさは□５０〜３００ｍｍで、全ての実施例、参考例及び比較例で同じ大きさのものを使用した。以上のような条件で実験を行った結果と色調の評価を表１に示す。
【００４６】
【表１】
2007179063.tif 000003
【００４７】
表中のカット率及び透過率は分光光度計による測定結果であり、カット率は次式で表される。
【００４８】
（カット率）＝１００−１００×Ｑ／（Ｙ１×（３９５−３００））
尚、Ｙ１は図２０に示すように透過率の曲線がフラットになる部分での値であり、Ｑは波長が３００〜３９５ｎｍの範囲で透過率を積分した値を簡略的に求めた値であり、図中に斜線で示す三角形の面積である。
【００４９】
また、評価項目Ｉは誘虫性の評価であり、比較例１の虫の総補虫数を１００とした時の実施例１〜１１、参考例Ａ１，Ａ２及び比較例２〜４の総補虫数の相対値を示している。評価項目IIは消灯時における光フィルタ１の黄色味の目視による評価、評価項目IIIは点灯時における光フィルタ１及び光色の黄色味の目視による評価であり、それぞれ◎（殆どわからない）、○（よく見ないとわからない）、×（一目見れば分かる）の三段階で評価している。
【００５０】
表１の評価結果より実施例１〜１１及び参考例Ａ１，Ａ２では比較例１に比べて捕虫した虫の数が約６割以下に低下しており、誘虫性を低減しつつ、消灯時及び点灯時の照明器具の見掛けをよくできた。
【００５１】
また、実施例１及び比較例１、４の光フィルタ１を用いて、耐候変色試験を実施した。図２１は試験に用いた照明器具Ａを示し、照射面側の光フィルタ１の前方１５ｃｍのところに黄色染料を塗布した塗装紙１５を配置し、松下電器産業製の４００Ｗの水銀灯よりなるランプ１１を点灯させた状態で１ヶ月後及び６ヶ月後の塗装紙１５の変色度合いを目視で確認する試験（耐候変色試験１）を実施した。また、照射面側の光フィルタ１を太陽光と赤色染料を塗布した塗装紙の間に配置し、６ヶ月後及び１２ヶ月後の塗装紙の変色度合いを目視で評価する試験（耐候変色試験２）も実施した。表２は両試験の試験結果を示しており、変色度合いを◎（殆ど変色無し）、○（若干変色あり）、×（変色が一目で分かる）の三段階で評価している。
【００５２】
【表２】
2007179063.tif 000004
【００５３】
表２の試験結果より、実施例１では比較例１，４に比べて物体の変退色を防止する効果のあることが判明し、人の皮膚に太陽光や照明の光が与えるダメージを低減する効果が得られる。
【図面の簡単な説明】
【００５４】
【図１】（ａ）〜（ｃ）は実施形態１の光フィルタを用いる照明器具の外観図である。
【図２】同上の光フィルタの断面図である。
【図３】（ａ）（ｂ）は同上の光フィルタの分光分布の説明図である。
【図４】実施形態２の光フィルタの断面図である。
【図５】実施形態３の光フィルタの断面図である。
【図６】実施形態４の光フィルタの断面図である。
【図７】実施形態５の光フィルタの断面図である。
【図８】実施例１の光フィルタの断面図である。
【図９】実施例２の光フィルタの断面図である。
【図１０】実施例３の光フィルタの断面図である。
【図１１】実施例６の光フィルタの断面図である。
【図１２】実施例７の光フィルタの断面図である。
【図１３】実施例８の光フィルタの断面図である。
【図１４】実施例９の光フィルタの断面図である。
【図１５】実施例１０の光フィルタの断面図である。
【図１６】実施例１１の光フィルタの断面図である。
【図１７】参考例Ａ１を示し、（ａ）は光フィルタの断面図、（ｂ）は光学多層膜の分光分布の説明図である。
【図１８】参考例Ａ２を示し、（ａ）は光フィルタの断面図、（ｂ）は光学多層膜の分光分布の説明図である。
【図１９】実施例１〜１１、参考例Ａ１，Ａ２及び比較例１〜４の評価試験に用いる照明器具を示し、（ａ）は外観図、（ｂ）は要部拡大図である。
【図２０】カット率の計算式に用いる数値の説明図である。
【図２１】実施例１及び比較例１、４の耐候変色試験に用いる照明器具の外観図である。
【符号の説明】
【００５５】
Ａ，Ｂ，Ｃ  照明器具
１  光フィルタ
１１，１１’，１１”  ランプ
１３  グローブ
１４  前面パネル
【図１】
2007179063.tif 000005
【図２】
2007179063.tif 000006
【図３】
2007179063.tif 000007
【図４】
2007179063.tif 000008
【図５】
2007179063.tif 000009
【図６】
2007179063.tif 000010
【図７】
2007179063.tif 000011
【図８】
2007179063.tif 000012
【図９】
2007179063.tif 000013
【図１０】
2007179063.tif 000014
【図１１】
2007179063.tif 000015
【図１２】
2007179063.tif 000016
【図１３】
2007179063.tif 000017
【図１４】
2007179063.tif 000018
【図１５】
2007179063.tif 000019
【図１６】
2007179063.tif 000020
【図１７】
2007179063.tif 000021
【図１８】
2007179063.tif 000022
【図１９】
2007179063.tif 000023
【図２０】
2007179063.tif 000024
【図２１】
2007179063.tif 000025